(57)【要約】【課題】  簡易な作業で設置箇所の間隙に合わせた適切な嵌り具合に調整しつつ、家具を充分に固定することができる強度を確保する。【解決手段】  固定具１０は、１対の係合部材１２と、これらの１対の係合部材１２が取り付けられるプレート状の軸１４とを備えている。一方の係合部材１２Ｂは、軸１４に摺動自在に取り付けられる摺動係合部材である。この摺動自在な係合部材１２Ｂは、揺動により摺動係合部材１２Ｂの軸１４への固定を解除すると共に摺動係合部材１２Ｂをレバー３４の揺動方向に変位させるレバー３４を備えている。このレバー３４は、固定具１０の左右方向に向けて揺動する。１対の係合部材１２は、固定具１０を設置した場合に、軸１４よりも壁面３側に突出して、軸１４と壁面３との間に間隙を形成する突出部３８を備えている。【選択図】        図２
0003122515.tif 000002
【実用新案登録請求の範囲】
【請求項１】
家具と天井又は壁面との間に設置されて前記家具の変位を防止する家具の固定具であって、前記家具又は天井若しくは壁面に各々係合して前記家具と前記天井又は壁面との間に嵌合される１対の係合部材と、前記１対の係合部材が取り付けられる軸とから成り、少なくとも一方の前記係合部材は、前記軸に摺動自在に取り付けられる摺動係合部材であって、前記摺動係合部材は、前記摺動係合部材を位置決めする位置調整手段を備えていることを特徴とする家具の固定具。
【請求項２】
請求項１に記載された家具の固定具において、前記１対の係合部材は、前記固定具を設置した場合に、前記軸よりも壁面側に突出して、前記軸と前記壁面との間に間隙を形成する突出部を備えていることを特徴とする家具の固定具。
【請求項３】
請求項２に記載された家具の固定具において、前記突出部は、前記壁面に当接する一方、前記軸を前記家具の背面に押しつけることを特徴とする家具の固定具。
【請求項４】
請求項１乃至請求項３のいずれかに記載された家具の固定具であって、前記摺動係合部材は、前記摺動係合部材を前記軸に固定する固定部材と、前記固定部材による固定を解除することにより前記摺動係合部材の摺動を許容して前記摺動係合部材を位置決めする位置調整手段とを備え、前記位置調整手段は、揺動により前記固定部材による固定を解除すると共に前記摺動係合部材をレバーの揺動方向に変位させる前記レバーを備えていることを特徴とする家具の固定具。
【請求項５】
請求項４に記載された家具の固定具において、前記位置調整手段の前記レバーは、前記固定具を設置した場合に前記摺動係合部材から前記壁面以外の方向に突出し、前記壁面以外の方向に向けて揺動させることにより前記摺動係合部材の位置を調整することを特徴とする家具の固定具。
【請求項６】
請求項４又は請求項５のいずれかに記載された家具の固定具において、前記位置調整手段は、前記レバーその他の操作部以外は、外部から接触できないように前記摺動係合部材の内部に収納されていることを特徴とする家具の固定具。
【請求項７】
請求項１乃至請求項６のいずれかに記載された家具の固定具において、前記軸は、前記家具と前記壁面との間に挿入することができるプレート形状を有していることを特徴とする家具の固定具。
【請求項８】
請求項４乃至請求項７のいずれかに記載された家具の固定具において、前記固定部材は、前記軸が貫通する貫通孔を有し前記貫通孔を前記軸に押圧させて前記摺動係合部材の変位を規制するプレートと、通常では前記プレートを前記軸に押圧するように付勢するバネとから成り、前記位置調整手段は、前記プレートに係合して前記バネの付勢力に抗して前記プレートの前記軸への押圧を解除する前記レバーを備えていることを特徴とする家具の固定具。
【請求項９】
請求項８に記載された家具の固定具において、前記位置調整手段は、前記バネの付勢力に抗して前記プレートの前記軸への押圧を解除して前記摺動係合部材の位置決めを可能とする位置決め部材と、前記位置決め部材により位置決めされた状態から前記バネの付勢力に抗して前記プレートの前記軸への押圧を解除して前記摺動係合部材の位置の微調整を可能とする微調整部材とを備え、前記微調整部材が、前記レバーを備えていることを特徴とする家具の固定部材。
【請求項１０】
請求項８又は請求項９のいずれかに記載された家具の固定具において、前記固定部材は相互に不干渉に設置された第１の固定部材及び第２の固定部材とから成り、前記各固定部材は、前記軸が貫通する貫通孔を有し前記貫通孔を前記軸に押圧させて前記摺動係合部材の変位を規制するプレートと、通常では前記プレートを前記軸に押圧するように付勢するバネとから成り、前記位置調整手段は、前記第１の固定部材のバネの付勢力に抗して前記第１のプレートの前記軸への押圧を解除して前記摺動係合部材の位置決めを可能とする位置決め部材と、前記位置決め部材により位置決めされた状態から前記第２の固定部材のバネの付勢力に抗して前記第２のプレートの前記軸への押圧を解除して前記摺動係合部材の位置の微調整を可能とする微調整部材とを備え、前記微調整部材が、前記レバーを備えていることを特徴とする家具の固定部材。
【請求項１１】
請求項１０に記載された家具の固定具において、前記位置決め部材は、前記摺動係合部材の外部に突出する前記第１のプレートの端部であって、前記第１のプレートを前記第１のバネの付勢力に抗して揺動させて、前記第１のプレートの前記軸への押圧を解除することを特徴とする家具の固定具。
【請求項１２】
請求項９乃至請求項１１のいずれかに記載された家具の固定具において、前記摺動係合部材は、前記位置決め部材による前記プレートの前記軸への押圧の解除により、前記軸の家具側又は前記天井側若しくは壁面側のいずれの方向にも自由に摺動できることを特徴とする家具の固定具。
【請求項１３】
請求項８乃至請求項１２のいずれかに記載された家具の固定具において、前記バネは、前記軸の周囲に巻き付けられたコイルバネであり、前記位置調整手段は、前記コイルバネの付勢力に抗して前記バネを収縮させることにより、前記プレートの前記軸への押圧を解除することを特徴とする家具の固定具。
【請求項１４】
請求項１乃至請求項１３のいずれかに記載された家具の固定具において、前記摺動係合部材は、前記家具側に配置される係合部材であることを特徴とする家具の固定具。
【請求項１５】
請求項１４に記載された家具の固定具において、前記天井又は前記壁面側に配置される他方の係合部材は、前記軸の前記天井又は壁面側の端部に固定して設置されていることを特徴とする家具の固定具。
【考案の詳細な説明】
【技術分野】
【０００１】
本考案は、家具と天井等との間に嵌合して設置され、平時における家具のぐらつきや、地震時等における家具の転倒やズレ等の変位を防止する家具の固定具の改良に関し、特に、嵌り具合の調整や設置を簡易に行うことに関するものである。
【背景技術】
【０００２】
地震時等における家具のぐらつきや転倒等を防止するためには、一般に、外筒と、この外筒から出し入れ自在な内筒とを備え、内筒の出し入れによる全長の調整が可能な固定具が使用されることがある。この一般的な家具の固定具では、その全長を、家具の天井面と家屋の天井との間に間隔に合わせて調整し、家具と天井間に嵌合して、家具の設置を安定させる。
【０００３】
しかし、この一般的な固定具では、外筒側から内筒にネジ部材を押し当てて、家具と天井との間の間隔に合わせた全長を維持しているため、その維持強度が必ずしも高くはなく、大きな力が加わった場合には、内筒が外筒内に入り込んで全長が短くなり、家具を安定的に固定することができなくなる問題があった。
【０００４】
この点を考慮して、外筒と内筒にそれぞれ間欠的に設けられた複数の貫通孔を形成し、これらの外筒と内筒の貫通孔を付合させて、この貫通孔に連結ねじを螺合して内筒を外筒に固定する転倒防止具も提案されている（例えば、特許文献１参照）。
【０００５】
しかし、この従来技術では、転倒防止具の全長の調整や設置に際して、連結ねじの取り外しや螺合作業を必要とするため、非常に手間が掛かる問題があった。特に、これらの転倒防止具は、家具と天井との間に設置される関係上、その調整や設置作業を比較的高所で行うことが必要となる関係上、連結ネジの螺合、取り外しという細かな作業を必要とすると、嵌り具合の調整や設置が困難となる問題があった。
【０００６】
また、この従来技術では、連結ねじによる固定強度は向上するものの、その強度を確保するために複数の貫通孔をある程度の間隔を空けて間欠的に形成する必要があることから、転倒防止具を任意の長さに調節することができない。このことは、家具と天井との間の間隙が必ずしも一定ではないことを考慮すると、現実的には使用することに困難性を伴う。具体的には、設置箇所に合致しない長さのまま使用しようとすると、短すぎる場合には、家具を安定的に固定することができず、一方、長すぎる場合には設置自体をすることができないか、あるいは、無理に設置すると家具又は天井のいずれか一方を損傷させるおそれがある。
【０００７】
更に、従来の転倒防止具の殆どは、天井と家具の天面に圧接して転倒を防止するものであったため、必ずしも充分な固定強度を確保することができない問題があった。即ち、従来の転倒防止具は、天井と家具の天面との間の上下方向における２点支持のみによって、家具の変位を防止し、左右方向の振動に対しては、十分な配慮が成されていなかった。また、実際の家屋において家具が近接して設置される壁面には、床面付近や上方に壁から僅かに突出する長押（なげし）が存在し、家具を壁面に完全に密着させて設置できることはほとんどなく、家具と壁面との間に隙間が存在する結果、振動時には、左右方向だけではなく前後方向にも変位するおそれがある。このため、家具の変位の防止を必要とする実際の地震時には、家屋や家具には、縦揺れのみならず、横揺れも加わることから、場合によっては、転倒防止具が前後左右方向にも振れて、天井と家具との間から外れるおそれがあった。
【０００８】
以上のように、従来の転倒防止具では、設置や位置調整の簡便性を優先させると設置強度が低下し、一方、設置強度を向上させると設置や位置調整が困難となり、設置や位置調整が容易でありつつ、同時に充分な固定強度を確保することができる転倒防止具は提供されていなかった。
【特許文献１】特開平８−２９９０９１号公報
【考案の開示】
【考案が解決しようとする課題】
【０００９】
本考案が解決しようとする課題は、上記の問題点に鑑み、家具を充分に固定することができる強度を有しつつ、簡易な作業で、設置箇所の間隙に合わせた適切な嵌り具合に調整して、設置することができる家具の固定具を提供することにある。
【課題を解決するための手段】
【００１０】
本考案は、上記の課題を解決するための第１の手段として、家具と天井又は壁面との間に設置されて家具の変位を防止する家具の固定具であって、家具又は天井若しくは壁面に各々係合して家具と天井又は壁面との間に嵌合される１対の係合部材と、これらの１対の係合部材が取り付けられる軸とから成り、少なくとも一方の係合部材は、軸に摺動自在に取り付けられる摺動係合部材であって、摺動係合部材は、摺動係合部材を位置決めする位置調整手段を備えていることを特徴とする家具の固定具を提供するものである。
【００１１】
本考案は、上記の課題を解決するための第２の手段として、上記第１の解決手段において、１対の係合部材は、固定具を設置した場合に、軸よりも壁面側に突出して、軸と壁面との間に間隙を形成する突出部を備えていることを特徴とする家具の固定具を提供するものである。
【００１２】
本考案は、上記の課題を解決するための第３の手段として、上記第２の解決手段において、突出部は、壁面に当接する一方、軸を家具の背面に押しつけることを特徴とする家具の固定具を提供するものである。
【００１３】
本考案は、上記の課題を解決するための第４の手段として、上記第１乃至第３のいずれかの解決手段において、摺動係合部材は、摺動係合部材を軸に固定する固定部材と、固定部材による固定を解除することにより摺動係合部材の摺動を許容して摺動係合部材を位置決めする位置調整手段とを備え、位置調整手段は、揺動により固定部材による固定を解除すると共に摺動係合部材をレバーの揺動方向に変位させるレバーを備えていることを特徴とする家具の固定具を提供するものである。
【００１４】
本考案は、上記の課題を解決するための第５の手段として、上記第４の解決手段において、位置調整手段のレバーは、固定具を設置した場合に摺動係合部材から壁面以外の方向に突出し、壁面以外の方向に向けて揺動させることにより摺動係合部材の位置を調整することを特徴とする家具の固定具を提供するものである。
【００１５】
本考案は、上記の課題を解決するための第６の手段として、上記第４又は第５のいずれかの解決手段において、位置調整手段は、レバーその他の操作部以外は、外部から接触できないように摺動係合部材の内部に収納されていることを特徴とする家具の固定具を提供するものである。
【００１６】
本考案は、上記の課題を解決するための第７の手段として、上記第１乃至第６のいずれかの解決手段において、軸は、家具と壁面との間に挿入することができるプレート形状を有していることを特徴とする家具の固定具を提供するものである。
【００１７】
本考案は、上記の課題を解決するための第８の手段として、上記第４乃至第７のいずれかの解決手段において、固定部材は、軸が貫通する貫通孔を有しこの貫通孔を軸に押圧させて摺動係合部材の変位を規制するプレートと、通常ではプレートを軸に押圧するように付勢するバネとから成り、位置調整手段は、プレートに係合してバネの付勢力に抗してプレートの軸への押圧を解除するレバーを備えていることを特徴とする家具の固定具を提供するものである。
【００１８】
本考案は、上記の課題を解決するための第９の手段として、上記第８の解決手段において、位置調整手段は、バネの付勢力に抗してプレートの軸への押圧を解除して摺動係合部材の位置決めを可能とする位置決め部材と、位置決め部材により位置決めされた状態からバネの付勢力に抗してプレートの軸への押圧を解除して摺動係合部材の位置の微調整を可能とする微調整部材とを備え、微調整部材が、レバーを備えていることを特徴とする家具の固定部材を提供するものである。
【００１９】
本考案は、上記の課題を解決するための第１０の手段として、上記第８又は第９のいずれかの解決手段において、固定部材は相互に不干渉に設置された第１の固定部材及び第２の固定部材とから成り、各固定部材は、軸が貫通する貫通孔を有し貫通孔を軸に押圧させて摺動係合部材の変位を規制するプレートと、通常ではプレートを軸に押圧するように付勢するバネとから成り、位置調整手段は、第１の固定部材のバネの付勢力に抗して第１のプレートの軸への押圧を解除して摺動係合部材の位置決めを可能とする位置決め部材と、位置決め部材により位置決めされた状態から第２の固定部材のバネの付勢力に抗して第２のプレートの軸への押圧を解除して摺動係合部材の位置の微調整を可能とする微調整部材とを備え、微調整部材が、レバーを備えていることを特徴とする家具の固定部材を提供するものである。
【００２０】
本考案は、上記の課題を解決するための第１１の手段として、上記第１１の解決手段において、位置決め部材は、摺動係合部材の外部に突出する第１のプレートの端部であって、第１のプレートを第１のバネの付勢力に抗して揺動させて、第１のプレートの軸への押圧を解除することを特徴とする家具の固定具を提供するものである。
【００２１】
本考案は、上記の課題を解決するための第１２の手段として、上記第９乃至第１１のいずれかの解決手段において、摺動係合部材は、位置決め部材によるプレートの軸への押圧の解除により、軸の家具側又は天井側若しくは壁面側のいずれの方向にも自由に摺動できることを特徴とする家具の固定具を提供するものである。
【００２２】
本考案は、上記の課題を解決するための第１３の手段として、上記第８乃至第１２のいずれかの解決手段において、バネは、軸の周囲に巻き付けられたコイルバネであり、位置調整手段は、コイルバネの付勢力に抗してバネを収縮させることにより、プレートの軸への押圧を解除することを特徴とする家具の固定具を提供するものである。
【００２３】
本考案は、上記の課題を解決するための第１４の手段として、上記第１乃至第１３のいずれかの解決手段において、摺動係合部材は、家具側に配置される係合部材であることを特徴とする家具の固定具を提供するものである。
【００２４】
本考案は、上記の課題を解決するための第１５の手段として、上記第１４の解決手段において、天井又は壁面側に配置される他方の係合部材は、軸の天井又は壁面側の端部に固定して設置されていることを特徴とする家具の固定具を提供するものである。
【考案の効果】
【００２５】
本考案によれば、上記のように、位置決め可能な１対の係合部が、摺動係合部材の軸への固定を解除すると同時に摺動係合部材を揺動方向に変位させるレバーを備えた位置調整手段を有するため、このレバーを下方等に押し下げるだけで、軸への固定の解除と摺動係合部材の下方への変位を同時に行うことができるので、高所でネジ等を螺合する作業に比べ、非常に楽な姿勢で容易に、固定具を設置することができる実益がある。
【００２６】
のみならず、本考案によれば、同時に、このレバーにより、摺動係合部材の位置を任意の位置に微調整することができるため、１対の係合部材間の間隔を、簡易に設置箇所の寸法に合わせて調整して設置することができ、家具の固定強度を向上させることができる実益もある。
【００２７】
この場合、本発明によれば、上記のように、このレバーは、家具の左右方向や前面方向等の建築物の壁面方向以外の方向に向けて揺動して、摺動係合部材の位置を調整するため、設置作業の容易性を確保することができると同時に、レバーが固定具の設置の支障となることがない実益がある。
【００２８】
また、本考案によれば、上記のように、摺動係合部材の位置調整手段は、摺動係合部材の軸への固定を解除する位置決め部材と、摺動係合部材の位置の微調整を可能とする微調整部材とを備えているため、位置決め部材により摺動係合部材を、長距離に亘って一度に移動させることができ、当初の設置時等や摺動係合部材の長距離に移動が必要な場合にも、１対の係合部材間の間隔を、簡易な作業で家具と天井等との間の設置箇所の寸法に概ね合致させた上で、細かな位置調整をすることができ、簡易な作業で適切に設置することができる実益がある。
【００２９】
また、本考案によれば、上記のように、位置調整手段は、レバーその他の操作部以外は、外部から接触できないように、摺動係合部材の内部に収納されているため、外部に位置調整のための機構が露出せず、インテリアの一つとして外観を損なわないと同時に、機構部分が外部の埃や塵等から保護されると共に一部が破損等しても家具と壁面との隙間等に落下することなく摺動係合部材内にとどまり、更には、作業時に機構の動きにより作業者が思わぬ怪我等を負うこともなく、保全性、安全性を確保することができる実益がある。
【００３０】
更に、本考案によれば、上記のように、位置決め可能な１対の係合部材が、固定具を設置した場合に軸よりも壁面側に突出して軸と壁面との間に間隙を形成する突出部を備えているため、壁面の下方に長押が存在して家具と壁面との間に隙間が存在しても、この突出部がその間隙を埋めて壁面に密接するため、上下方向だけではなく、水平方向への固定強度を高めることができると同時に、壁面上方に長押が存在する場合にも、長押をまたぐように軸を配置させつつ、充分な固定強度を確保することができる実益がある。
【００３１】
この場合、特に、本考案によれば、上記のように、上記のように、家具と天井等との間に設置される家具の固定具において、下方側に位置する家具側の係合部材を摺動自在としているため、できるだけ低い箇所での作業が可能となり、設置が容易となる実益がある。
【００３２】
一方で、本考案によれば、上記のように、天井又は壁面側に配置される他方の係合部材を、軸の天井又は壁面側の端部に固定して設置しているため、作業者から比較的遠い高所に位置する係合片に対しては何ら作業をすることなく、この軸の端部に設置された天井又は壁面側の係合部材を単に天井や壁面に当接させて家具側の係合部材の位置を調整するだけで、家具と天井等との間に簡易にかつ適切に設置することができると同時に、天井等側の係合部材は変位することがないため、充分な強度を確保することもできる実益がある。
【考案を実施するための最良の形態】
【００３３】
本考案の実施の形態を図面を参照しながら詳細に説明すると、図１乃至図８は、本考案の家具の固定具１０を示し、この家具の固定具１０は、家具１と天井２との間に設置されて家具１の変位を防止するものであって、図１及び図２に示すように、家具１又は天井２に各々係合して家具１と天井２との間に嵌合される１対の係合部材１２と、これらの１対の係合部材１２が取り付けられる軸１４とから成っている。
【００３４】
軸１４は、衝撃が加わっても容易に変形しないよう、工具鋼等のある程度の強度を有する金属製材料から、図１乃至図４に示すように、長尺状に形成される。この軸１４は、図１及び図２に示すように、家具１と壁面３との間に挿入することができるプレート形状を有し、図１乃至図４に示すように、長手方向の両端面を左右に向けて、天井２から家具１に向けて下垂して延びるように配置される。なお、この軸１４は、想定しうる家具１と天井２との間の間隙に対応することができるように、充分な長さ、具体的には、必要に応じて、５０ｃｍ〜１ｍ程度の長さに設定する。
【００３５】
１対の係合部材１２の各々は、図１乃至図６に示すように、天井２や家具１の天面１ａ等に係合する縦断面が略Ｌ字形状の係合部１２ａと、この略Ｌ字状の２辺に跨がるように斜めに設置される補強部１２ｂとを備えている。従って、１対の係合部材１２は、この係合部１２ａにより、天井２や家具１の天面１ａに圧接されると共に、補強部１２ｂにより上下方向への荷重を分散して受け止めることができるため、単なる断面Ｌ字形状の係合部材よりも固定強度が高い。
【００３６】
これらの１対の係合部材１２のうち、図１及び図２に示すように、天井２側に配置される係合部材１２Ａは、図１乃至図４に示すように、軸１４の天井２側の端部に固定して設置されている。具体的には、図５及び図６に示すように、係合部材１２Ａは、上下方向に向けて配置される係合部１２ａに軸挿入溝１６が形成されており、この軸挿入溝１６に軸１４の端部を挿入することにより、軸１４の端部に固定して取り付けることができる。従って、この天井２側の係合部材１２Ａは、軸１４に固定して設置されて、変位することがないため、充分な強度をもって天井２に係合することができる。なお、この天井２側に配置される係合部材１２Ａは、図１乃至図６に示すように、この軸挿入溝１６等を形成することができると同時に、補強部１２ｂ内部等に空間を有する筺体状の立体的な形状を有する。
【００３７】
一方、１対の係合部材１２のうち、家具１側に配置される他方の係合部材１２Ｂは、図１乃至図８に示すように、プレート形状を有する軸１４に摺動自在に取り付けられる摺動係合部材１２Ｂとなっている。具体的には、この摺動係合部材１２Ｂは、図１乃至図８に示すように、内部にプレート形状を有する軸１４を貫通させることができる軸貫通孔１８を有し、この軸貫通孔１８に軸１８を貫通させることにより、軸１４に摺動自在に取り付けられる。
【００３８】
この摺動係合部材１２Ｂは、特に図５乃至図８に示すように、摺動係合部材１２Ｂを軸１４に固定する固定部材２０と、この固定部材２０による固定を解除することにより摺動係合部材１２Ｂの摺動を許容して摺動係合部材１２Ｂを位置決めする位置調整手段２２とを備えている。
【００３９】
固定部材２０は、後述する位置調整手段２２が位置決め部材２８と微調整部材３０とを備えている図示の実施の形態では、摺動係合部材部材１２Ｂの固定及び位置調整を、位置決め部材２８及び微調整部材３０とのそれぞれ毎に分断して機能させるために、図５乃至図７に示すように、固定部材は相互に不干渉に設置された第１の固定部材２０Ａ及び第２の固定部材２０Ｂとから成っている。
【００４０】
これらの第１及び第２の各固定部材２０は、図示の実施の形態では、図５乃至図７に示すように、軸１４の周囲に押圧されて摺動係合部材１２Ｂの変位を規制するプレート２４（第１のプレート２４Ａ、第２のプレート２４Ｂ）と、通常ではこのプレート２４を軸１４に押圧するように付勢するバネ２６（第１のバネ２６Ａ、第２のバネ２６Ｂ）とから成っている。
【００４１】
これらの各プレート２４は、図５乃至図７に示すように、軸１４が貫通する貫通孔２４ａを有し、この貫通孔２４ａを軸１４に押圧させることにより、軸１４に係合して、摺動係合部材１２Ｂの変位を規制する。この場合、第１及び第２の２つのプレート２４Ａ、２４Ｂを設定している図示の実施の形態では、摺動係合部材１２Ｂが２カ所で固定されることになり、固定強度が高まる。なお、貫通孔２４ａの内径は、後述するように軸１４に対してプレート２４を揺動させることができるように、図５乃至図７に示すように、軸１４の外径よりも、若干大きめに形成される。
【００４２】
なお、これらの各プレート２４は、一端が、摺動係合部材１２Ｂ内の適宜の箇所に枢支等されて揺動自在に設置される。具体的には、図示の実施の形態では、これらの各プレート２４は、バネ２６により下方に向けて付勢されているため、図５及び図７に示すように、後述するレバー３４や位置決め部材となる第１のプレート２４Ａの端部２４ｂと反対側の一端を、第１のプレート２４Ａにあっては摺動係合部材１２内に設置された支持軸２５に、第２のプレート２４Ｂにあってはバネ受け３２に支持させることにより、これらの支持軸２５やバネ受け３２を支点として、テコのように揺動することができる。この場合、充分な強度を確保するため、少なくとも、第１のプレート２４Ａを支持する支持軸２５は、金属製とすることが好ましい。
【００４３】
また、各バネ２６は、図示の実施の形態では、図５乃至図８に示すように、軸１４の周囲に巻き付けられたコイルバネであるのが示されている。このバネ２６は、図５乃至図７に示すように、一端が摺動係合部材１２Ｂ内で固定される一方、他端がプレート２４に係合することにより、プレート２４を軸１４に押しつけるように押圧する。この場合、バネ２６の自然長を、固定端からプレート２４までの間隙よりも長い長さに設定することにより、バネ２６は、通常では伸張しようとする付勢力によりプレート２４を軸１４に押しつける。
【００４４】
なお、図示の実施の形態では、バネ２６は、上方が固定端とされ、従って、プレート２４を下方へ押し下げることにより、プレート２４の貫通孔２４ａを軸１４に押し付けるように設定されている。具体的には、下方に配置される第１のバネ２６Ａは、図５及び図７に示すように、摺動係合部材１２Ｂ内に形成されたバネ受け３２に、上方に配置される第２のバネ２６Ｂは、数度右傾号部材１２Ｂ内の天面に、それぞれ上端が当接して固定端とされている。但し、必ずしも、図示の形態に限定されるものではなく、バネ２６の下方を固定端として、プレート２４を上方へ押し上げることにより、プレート２４を軸１４に押しつける設定とすることもできる（この場合、次に述べる位置調整手段２２（特に、位置決め部材２８）は、プレート２４を下方へ押し下げることにより、摺動係合部材１２Ｂの軸１４への固定を解除するように設定することになる。）。
【００４５】
一方、位置調整手段２２は、図示の実施の形態では、図５乃至図８に示すように、バネ２６（第１のバネ２６Ａ）の付勢力に抗してプレート２４（第１のプレート２４Ａ）の軸１４への押圧を解除して摺動係合部材１２の位置決めを可能とする位置決め部材２８と、この位置決め部材２８により位置決めされた状態からバネ２６（第２のバネ２６Ｂ）の付勢力に抗してプレート２４（第２のプレート２４Ｂ）の軸１４への押圧を解除して摺動係合部材１２Ｂの位置の微調整を可能とする微調整部材３０とを備えている。
【００４６】
この位置決め部材２８は、具体的には、特に図５及び図７に示すように、摺動係合部材１２Ｂの外部に突出する第１のプレート２４Ａの端部２４ｂであって、第１のプレート２４Ａを第１のバネ２６Ａの付勢力に抗して揺動させて、第１のプレート２４Ａの軸１４への押圧を解除する。この場合、上述したように、図示の実施の形態では、図７に示すように、第１のプレート２４Ａは、第１のバネ２６Ａにより下方に押し下げられて軸１４に固定されるため、位置決め部材２８である第１のプレート２４Ａの端部２４ｂは、この図７に示す状態から図５に示すように、上方へ押し上げることにより、第１のバネ２６Ａの付勢力に抗してバネ２６Ａを収縮させつつ、第１のプレート２４Ａ自体を、その貫通孔２４ａが軸１４の外周から離反するように揺動させて、第１のプレート２４Ａの軸１４への固定を解除する。これにより、摺動係合部材１２Ｂは、軸１４の家具１側又は天井２側のいずれの方向にも自由に、長い距離を摺動することができ、特に、最初の設置時において、摺動係合部材１２Ｂの大まかな位置決めをすることができる。
【００４７】
一方、微調整部材３０は、図示の実施の形態では、揺動により固定部材２０による固定を解除すると共に摺動係合部材１２Ｂを、自身の揺動方向に変位させるレバー３４を備えている。このレバー３４は、図示の実施の形態では、図７に示すように位置決め部材２８により位置決めされた状態から、図５に示すように、下方に向けて揺動させることにより、レバー３４の先端部３４Ａが上昇して、第２のプレート２４Ｂに下方から係合し、この第２のプレート２４Ｂを、第２のバネ２６Ｂの付勢力に抗して第２のバネ２６Ｂを収縮させながら、上方へ押し上げることにより、第２のプレート２４Ｂの軸１４への押圧を解除する。
【００４８】
従って、このレバー３４を下方に押し下げるだけで、摺動係合部材１２Ｂの固定を解除することができると共に、その下方への押し下げ力によって、同時に摺動係合部材１２Ｂを、レバー３４の揺動方向、即ち、下方に向かって変位させることができる。即ち、この微調整部材３０であるレバー３４は、摺動係合部材１２Ｂの固定の解除と下方への変位を兼任しており、これにより、位置決め部材２８により大まかな位置決めをした後に、摺動係合部材１２Ｂの位置を微調整して、適切な位置に調整することができる、特に、この場合、このレバー３４により、摺動係合部材１２Ｂの位置を任意の位置に微調整することができるため、１対の係合部材１２間の間隔を、簡易な作業でありながら設置箇所の寸法に合わせて調整して設置することができ、家具の固定強度を向上させることができる。
【００４９】
また、この場合、このレバー３４は、特に、図３に示すように、固定具１０を設置した場合に摺動係合部材１２から壁面３以外の方向に突出するように配置する。具体的には、図示の実施の形態では、レバー３４は、図５及び図７、図８に示すように、摺動係合部材１２Ｂの前後方向に軸線を向けて配置された枢軸３６により枢支されて、摺動係合部材１２Ｂの左右方向、即ち、壁面３と平行な方向に向けて揺動自在に設置され、壁面３以外の方向（図示の実施の形態では、固定具を正面（作業者の視点）から見て右方向）に向けて揺動させることにより、摺動係合部材１２Ｂの位置を調整することができる。従って、固定具１０の設置作業の容易性を確保することができると同時に、レバー３４が固定具１０の設置の支障となることがない。
【００５０】
また、この位置調整手段２０は、図１乃至図８に示すように、レバー３４や位置決め部材２８となる第１のプレート２４Ａの端部２４ｂ等の操作部以外は、外部から接触できないように摺動係合部材１２の内部に収納されている。具体的には、特に図８から解るように、摺動係合部材１２を分割された２以上の部材から構成し、これを螺合等させることにより、位置調整手段２０を内部に収納することができる。従って、摺動係合部材１２Ｂは、図１乃至図８に示すように、内部に位置調整手段２０を収納することができる筺体状の立体的な形状を有する。
【００５１】
これにより、外部に位置調整のための機構が露出せず、固定具１０のインテリアの一つとして外観を損なわないと同時に、機構部分が外部の埃や塵等から保護されると共に一部が破損等しても家具１と壁面３との隙間等に落下することなく摺動係合部材１２Ｂ内にとどまり、更には、作業時に機構の動きにより作業者が思わぬ怪我等を負うこともなく、保全性、安全性を確保することができる。
【００５２】
なお、図示の実施の形態では、位置決め部材２８である第１のプレート２４Ａの端部２４ｂがレバー３４の揺動の支障とならないように、位置決め部材２８を下方に、レバー３４を備えた微調整部材３０を上方に設置したが、必ずしも、これに限定されるものではなく、特にレバー３４の揺動方向との関係を考慮して、その位置関係は任意に設定することができる。また、図示の実施の形態は、第１のプレート２４Ａは、１枚のプレートであるのが示されているが、固定強度等を確保するため、２枚以上のプレートを重ねて、第１のプレートとすることもできる。
【００５３】
更に、図示の実施の形態では、位置調整手段２２は、位置決め部材２８と微調整部材３０とを有していたが、必ずしもこれに限定されるものではなく、例えば、摺動係合部材１２Ｂの固定の解除と変位とを行うレバー３４に、位置決めと微調整の機能を同時に兼任させることもできる。この場合には、構成が簡易となると共に、製造も容易で、コストを低減することができる。
【００５４】
また、本考案においては、これらの筺退場の立体的な形状を有する１対の係合部材１２は、図２、図４、図６に示すように、固定具１０を設置した場合に、軸１４よりも壁面３側に突出して、軸１４と壁面３との間に間隙を形成する突出部３８を備えている。
【００５５】
この突出部３８による間隙により、軸１４は、図２に示すように、背後の壁面３から、いわば若干浮くようにして離反して設置される。このため、図２に示すように、壁面３上方に長押４が存在する場合にも、軸１４を、この長押４をまたぐようにして配置させて、固定具１０を設置することができる。また、壁面３の下方に長押４が存在して家具１と壁面３との間に隙間が存在しても、この突出部がその間隙を埋めるようにして、固定具１０を設置することができる。従って、この突出部３８の突出厚みは、この長押４の厚みを考慮して、３〜１５ｍｍ程度の範囲で、適宜設定することができる。この場合、軸１４が長押４に押し当てられる場合には、固定具１０が水平方向にも固定されて固定強度が高まる。
【００５６】
一方、軸１４を家具１の背面に密着させて設置した場合に、特に図２に示すように、突出部３８が壁面３に当接する場合には、この突出部３８により、固定具１０が壁面３との間でも固定されると共に軸１４を家具１の背面に押しつけ、固定具１０が従来の上下方向の固定だけではなく、水平方向にも固定されるため、縦揺れ、横揺れのいずれに対しても強度が向上する。
【００５７】
なお、係合部材１２Ａ、１２Ｂのうち、家具１又は天井２に係合する係合面には、図１乃至図６に示すように、弾性変形可能な緩衝材４０を設置することが望ましい。この緩衝材４０としては、ゴムやスポンジ等を使用することができる。
【００５８】
これらのゴムやスポンジ等の緩衝材４０により、１対の係合部材１２Ａ、１２Ｂを強固な力で家具１や天井２との間に嵌合させても、家具１や天井２の損傷を防止することができると同時に、家具１と天井２間の間隙と、１対の係合部材１２Ａ、１２Ｂ間の間隔との間に多少の誤差が生じても、その誤差を吸収して、１対の係合部材１２Ａ、１２Ｂを家具１と天井２との間に確実に固定することができる。また、この緩衝材４０自体が、上述したゴムやスポンジ等の滑り抵抗の高い材質である場合には、家具１や天井２に対する固定具１０の変位を、確実に抑制することもできる。
【００５９】
次に、本発明の家具の固定具１０の使用方法について説明すると、天井２側の係合部材１２Ａを設置すべき箇所の天井２に係合させると共に、軸１４を天井２と家具１との間の壁面３に沿って配置する。この場合、軸１４が、家具１と天井２との間の間隙よりも長い場合には、剰余の軸１４部分を家具１の背面と壁面３との間に挿入して配置する。また、家具１側の摺動自在な係合部材１２Ｂを、家具１と天井２との間に位置するように配置する。なお、この場合、少なくとも、軸１４を家具１の背面に密着させ、更に可能であれば、できるだけ突出部３８を壁面３にも密着させた方が上述したように固定強度が高まるので、望ましい。
【００６０】
この場合、作業者から比較的遠い高所に位置する天井２側の係合部材１２Ａは、軸１４の端部に固定して設置されているため、この天井２側の係合部材１２Ａに対しては何ら作業をすることなく、上記のように、単に天井２に当接させるだけで簡易にかつ適切に配置することができる。
【００６１】
次いで、家具１側の摺動係合部材１２Ｂと家具１との間に大きな隔たりがあるときには、位置決め部材２８である第１のプレート２４Ａの端部２４ｂを上方に押し上げて、摺動係合部材１２Ｂを家具１の天面付近にまで摺動させる。なお、この作業は、設置までに事前に行うこともできる。その後、レバー３４を、徐々に下方に押し下げていき、適度な力で押しても、係合部材１２Ｂを押し下げることができない位置にまで下げて微調整することにより、１対の係合部材１２Ａ、１４Ｂを、家具１と天井２との間に嵌合させる。
【００６２】
この場合、特に、下方（作業者側）に位置する家具１側の係合部材１２Ｂを摺動自在としているため、できるだけ低く、作業者に近い箇所での作業が可能であると共に、連結ネジの螺合等をすることなく、レバー３４により摺動係合部材１２Ｂを押し下げるだけで、適切に位置調整及び設置をすることができ、非常に簡易な作業でありながら、家具１を確実に、かつ、安定的に固定することができる。
【００６３】
なお、上記の実施の形態では、固定具１０を、家具１と天井２との間に設置する場合を例二節下が、固定具１０の設置箇所に特に限定はなく、例えば、図示の実施の形態と異なり、軸１４を水平方向に配置して、家具１同士の間、あるいは、家具１と壁面３との間に設置することができる。また、これらの場合には、一方の係合部材１２Ｂのみを摺動自在とした上記の実施の形態と異なり、１対の係合部材１２Ａ、１４Ｂのいずれをも、摺動自在として、１対の係合部材１２Ａ、１４Ｂ間の間隔を相対的に調整することができるように設定することもできる。
【産業上の利用可能性】
【００６４】
本考案は、特に、例えば、家庭や事業所等に設置される棚等の家具に、広く適用することができる。
【図面の簡単な説明】
【００６５】
【図１】本考案の家具の固定具において摺動係合部材を下方へ摺動させた状態の正面図である。
【図２】本考案の家具の固定具において摺動係合部材を下方へ摺動させた状態の側面図である。
【図３】本考案の家具の固定具において摺動係合部材を上方へ摺動させた状態の正面図である。
【図４】本考案の家具の固定具において摺動係合部材を上方へ摺動させた状態の正面図である。
【図５】図４におけるＡ−Ａ線の断面図である。
【図６】図３におけるＣ−Ｃ線の断面図である。
【図７】図２におけるＢ−Ｂ線の断面図である。
【図８】図１におけるＤ−Ｄ線の断面図である。
【符号の説明】
【００６６】
１  家具
２  天井
３  壁面
４  長押
１０  固定具
１２  １対の係合部材
１２Ａ  係合部材（天井又は壁面側）
１２Ｂ  摺動係合部材（家具側）
１２ａ  係合部
１２ｂ  補強部
１４  軸
１６  軸挿入溝
１８  軸貫通孔
２０  固定部材
２０Ａ  第１の固定部材
２０Ｂ  第２の固定部材
２２  位置調整手段
２４  プレート
２４Ａ  第１のプレート
２４Ｂ  第２のプレート
２４ａ  貫通孔
２４ｂ  第１のプレートの端部
２６  バネ
２６Ａ  第１のバネ
２６Ｂ  第２のバネ
２８  位置決め部材
３０  微調整部材
３２  バネ受け
３４  レバー
３６  枢軸
３８  突出部
４０  緩衝材
【図１】
0003122515.tif 000003
【図２】
0003122515.tif 000004
【図３】
0003122515.tif 000005
【図４】
0003122515.tif 000006
【図５】
0003122515.tif 000007
【図６】
0003122515.tif 000008
【図７】
0003122515.tif 000009
【図８】
0003122515.tif 000010